(57)【要約】 【課題】  地震等に因る大きな揺れを受けても家具の転倒を防止できる転倒防止具を提供する。【解決手段】  転倒防止具１は、家具４０の転倒を防止するものであり、家具４０を保持するための索部材１０と、家具４０の下後部４１寄りの家側に固定される下固定部材２０とを備え、索部材１０は、家具４０の上前部４２と下固定部材２０との間を家具４０の側面４３に沿って斜めに引き渡され、上前部４２と下固定部材２０との間に張設されて、家具４０を固定する。【選択図】図１
2007020595.tif 000002
【特許請求の範囲】
【請求項１】
家具の転倒を防止するための転倒防止具において、
家具を保持するための索部材と、前記家具の下後部寄りの家側に固定される下固定部材とを備え、
前記索部材は、前記家具の上前部と前記下固定部材との間を前記家具の側面に沿って斜めに引き渡され、前記上前部と前記下固定部材との間に張設されて、前記家具を固定することを特徴とする転倒防止具。
【請求項２】
家具の転倒を防止するための転倒防止具において、
家具を保持するための索部材と、前記家具の上前部に固定され、前記索部材を固定するための上固定部材と、前記家具の下後部寄りの家側に固定される下固定部材とを備え、
前記索部材は、前記上固定部材と前記下固定部材との間を前記家具の側面に沿って斜めに引き渡され、前記上固定部材と前記下固定部材との間に張設されて、前記家具を固定することを特徴とする転倒防止具。
【請求項３】
前記上固定部材は、前記上前部のうち前記家具の両側面寄りにそれぞれ固定され、
前記下固定部材は、前記家具の両側面寄りにそれぞれ固定され、
前記索部材は、一方の側面寄りの前記下固定部材から前記一方の側面に沿って斜めに前記上前部に至った端部を他方の側面寄りに固定された前記上固定部材に固定され、前記他方の側面寄りに固定された下固定部材から前記他方の側面に沿って斜めに前記上前部に至った端部を前記一方の側面寄りに固定された前記上固定部材に固定されることを特徴とする請求項２に記載の転倒防止具。
【請求項４】
前記上固定部材ないし前記下固定部材は、前記家具の角部を前記家具の側面側に屈曲した、前記側面に沿って回動可能な保護アームを備え、該保護アームは、前記索部材が前記家具の角部に直接に接触しないように保持することを特徴とする請求項２または３に記載の転倒防止具。
【請求項５】
家具の転倒を防止するための転倒防止具において、
家具を保持するための一本の索部材と、前記家具の上前部に固定され、前記索部材を固定するための上固定部材と、前記家具の下後部寄りの家側に固定され、前記索部材を保持するための保持部材とを備え、
前記索部材は、一端部が固定された前記上固定部材から前記家具の一方の側面に沿って斜めに前記家具の下後部に至り、前記保持部材に保持されて前記家具の背面側を横断して他方の側面側に至り、該他方の側面に沿って斜めに前記上前部に至り、前記上固定部材に他端部が固定され、前記家具を囲むように張設されて前記家具を固定することを特徴とする転倒防止具。
【請求項６】
前記上固定部材は、前記上前部のうち前記家具の前記一方の側面寄りおよび前記他方の側面寄りにそれぞれ固定され、
前記保持部材は、前記家具の前記一方の側面寄りおよび前記他方の側面寄りにそれぞれ固定され、
前記索部材は、前記一端部が前記家具の他方の側面寄りに固定された上固定部材に固定され、前記上前部を横断して前記一方の側面側に至り、前記他端部が前記家具の一方の側面寄りに固定された前記上固定部材に固定され、前記上前部を横断して前記他方の側面に至るように張設されることを特徴とする請求項５に記載の転倒防止具。
【請求項７】
前記上固定部材ないし前記保持部材は、前記家具の角部を前記家具の側面側に屈曲した、前記側面に沿って回動可能な保護アームを備え、該保護アームは、前記索部材が前記家具の角部に直接に接触しないように保護することを特徴とする請求項５または６に記載の転倒防止具。
【請求項８】
前記保護アームは、内部に前記索部材を挿通させる挿通路を有し、該挿通路に前記索部材を通して該索部材を保護することを特徴とする請求項４または７に記載の転倒防止具。
【請求項９】
前記索部材と前記家具の角部との間に少なくとも一部が介在するように配置され、前記索部材が前記家具の角部に直接に接触しないように保護する保護部材を備えたことを特徴とする請求項１，２，３，５または６に記載の転倒防止具。
【発明の詳細な説明】
【技術分野】
【０００１】
本発明は、家具の転倒を防止するための転倒防止具に関し、特に、地震などの揺れに因る家具の転倒を防止する転倒防止具に関する。
【背景技術】
【０００２】
従来の転倒防止具としては、特許文献１に開示されたような家具転倒防止器具がある。すなわち、家側の壁面の下部に下方固定部材を固定し、家具の天面の前面には前面固定部材を掛けて、この前面固定部材と下方固定部材とを繋いだベルトを締め付けることにより、家具の底部を床から離れ難くして転倒を防止しようとするものである。
【０００３】
また、家具の天面と天井面との間に突っ張り棒を突っ張らせて家具を床側に押し付けることにより、家具の底部を床から離れ難くして転倒を防止しようとするものもある。
【０００４】
【特許文献１】特開平１０−８５０７２号公報
【発明の開示】
【発明が解決しようとする課題】
【０００５】
しかしながら、特許文献１に開示されているような従来の技術では、家具を壁側に押さえるための保持力が弱く、２段重ねの家具の場合にはあまり効果的でない場合もあり得るという問題点があった。
【０００６】
また、突っ張り棒で家具を床側に押し付ける例では、天井の強度が弱い場合に、揺れの最中に天井面が撓んだときに突っ張り棒が外れてしまい、役にたたない場合もあり得るという問題点があった。
【０００７】
本発明は、このような従来の技術が有する問題点に着目してなされたもので、地震等に因る大きな揺れを受けても家具の転倒を防止できる転倒防止具を提供することを目的としている。
【課題を解決するための手段】
【０００８】
かかる目的を達成するための本発明の要旨とするところは、次の各項の発明に存する。
［１］  家具（４０）の転倒を防止するための転倒防止具（１）において、
家具（４０）を保持するための索部材（１０）と、前記家具（４０）の下後部（４１）寄りの家側に固定される下固定部材（２０）とを備え、
前記索部材（１０）は、前記家具（４０）の上前部（４２）と前記下固定部材（２０）との間を前記家具（４０）の側面（４３）に沿って斜めに引き渡され、前記上前部（４２）と前記下固定部材（２０）との間に張設されて、前記家具（４０）を固定することを特徴とする転倒防止具（１）。
【０００９】
［２］  家具（４０）の転倒を防止するための転倒防止具（１）において、
家具（４０）を保持するための索部材（１０）と、前記家具（４０）の上前部（４２）に固定され、前記索部材（１０）を固定するための上固定部材（３０）と、前記家具（４０）の下後部（４１）寄りの家側に固定される下固定部材（２０）とを備え、
前記索部材（１０）は、前記上固定部材（３０）と前記下固定部材（２０）との間を前記家具（４０）の側面（４３）に沿って斜めに引き渡され、前記上固定部材（３０）と前記下固定部材（２０）との間に張設されて、前記家具（４０）を固定することを特徴とする転倒防止具（１）。
【００１０】
［３］  前記上固定部材（３０）は、前記上前部（４２）のうち前記家具（４０）の両側面（４３）寄りにそれぞれ固定され、
前記下固定部材（２０）は、前記家具（４０）の両側面（４３）寄りにそれぞれ固定され、
前記索部材（１０）は、一方の側面（４３）寄りの前記下固定部材（２０）から前記一方の側面（４３）に沿って斜めに前記上前部（４２）に至った端部を他方の側面（４３）寄りに固定された前記上固定部材（３０）に固定され、前記他方の側面（４３）寄りに固定された下固定部材（２０）から前記他方の側面（４３）に沿って斜めに前記上前部（４２）に至った端部を前記一方の側面（４３）寄りに固定された前記上固定部材（３０）に固定されることを特徴とする［２］に記載の転倒防止具（１）。
【００１１】
［４］  前記上固定部材（３０）ないし前記下固定部材（２０）は、前記家具（４０）の角部を前記家具（４０）の側面（４３）側に屈曲した、前記側面（４３）に沿って回動可能な保護アーム（２７）を備え、該保護アーム（２７）は、前記索部材（１０）が前記家具（４０）の角部に直接に接触しないように保持することを特徴とする［２］または［３］に記載の転倒防止具（１）。
【００１２】
［５］  家具（４０）の転倒を防止するための転倒防止具（１）において、
家具（４０）を保持するための一本の索部材（１０）と、前記家具（４０）の上前部（４２）に固定され、前記索部材（１０）を固定するための上固定部材（３０）と、前記家具（４０）の下後部（４１）寄りの家側に固定され、前記索部材（１０）を保持するための保持部材（２０）とを備え、
前記索部材（１０）は、一端部が固定された前記上固定部材（３０）から前記家具（４０）の一方の側面（４３）に沿って斜めに前記家具（４０）の下後部（４１）に至り、前記保持部材（２０）に保持されて前記家具（４０）の背面側を横断して他方の側面（４３）側に至り、該他方の側面（４３）に沿って斜めに前記上前部（４２）に至り、前記上固定部材（３０）に他端部が固定され、前記家具（４０）を囲むように張設されて前記家具（４０）を固定することを特徴とする転倒防止具（１）。
【００１３】
［６］  前記上固定部材（３０）は、前記上前部（４２）のうち前記家具（４０）の前記一方の側面（４３）寄りおよび前記他方の側面（４３）寄りにそれぞれ固定され、
前記保持部材（２０）は、前記家具（４０）の前記一方の側面（４３）寄りおよび前記他方の側面（４３）寄りにそれぞれ固定され、
前記索部材（１０）は、前記一端部が前記家具（４０）の他方の側面（４３）寄りに固定された上固定部材（３０）に固定され、前記上前部（４２）を横断して前記一方の側面（４３）側に至り、前記他端部が前記家具（４０）の一方の側面（４３）寄りに固定された前記上固定部材（３０）に固定され、前記上前部（４２）を横断して前記他方の側面（４３）に至るように張設されることを特徴とする［５］に記載の転倒防止具（１）。
【００１４】
［７］  前記上固定部材（３０）ないし前記保持部材（２０）は、前記家具（４０）の角部を前記家具（４０）の側面（４３）側に屈曲した、前記側面（４３）に沿って回動可能な保護アーム（２７）を備え、該保護アーム（２７）は、前記索部材（１０）が前記家具（４０）の角部に直接に接触しないように保護することを特徴とする［５］または［６］に記載の転倒防止具（１）。
【００１５】
［８］  前記保護アーム（２７）は、内部に前記索部材（１０）を挿通させる挿通路（２７ａ）を有し、該挿通路（２７ａ）に前記索部材（１０）を通して該索部材（１０）を保護することを特徴とする［４］または［７］に記載の転倒防止具（１）。
【００１６】
［９］  前記索部材（１０）と前記家具（４０）の角部との間に少なくとも一部が介在するように配置され、前記索部材（１０）が前記家具（４０）の角部に直接に接触しないように保護する保護部材を備えたことを特徴とする［１］，［２］，［３］，［５］または［６］に記載の転倒防止具（１）。
【００１７】
前記本発明は次のように作用する。
転倒防止具（１）は、索部材（１０）を家具（４０）の上前部（４２）と下固定部材（２０）との間を家具（４０）の側面（４３）に沿って斜めに引き渡すようにして、上前部（４２）と下固定部材（２０）との間に張設する。これにより、索部材（１０）から家具（４０）を上部から底部に向けて押さえる下向きの力と、家具（４０）を正面側から背面側に向けて押さえる力とが働いて家具（４０）の転倒を防止できる。また、家具（４０）が揺れを受けて動くと索部材（１０）の張力が大きくなるので、家具（４０）が受ける揺れが大きくなるほど索部材（１０）に生じる張力が大きくなって揺れの大きさに応じた力で家具（４０）を締め付けるように押さえることができる。
【００１８】
家側に固定する下固定部材（２０）は、家具（４０）の下後部（４１）寄りの壁（Ｗ）面や家具（４０）の下の床（Ｆ）面などに固定する。索部材（１０）は、例えば、下固定部材（２０）に端部を固定し、家具（４０）の上前部（４２）を横断するように引き渡して張設する。家具（４０）の上前部（４２）に上固定部材（３０）を固定した場合には、この上固定部材（３０）に索部材（１０）の他端部を固定することができる。
【００１９】
下固定部材（２０）は、例えば、金属板をＬ字型に成形したものであり、Ｌ字型の底面部（２１）と立面部（２２）とをそれぞれ床（Ｆ）側と壁（Ｗ）側とに面接触させることができる。この下固定部材（２０）は、家側の壁（Ｗ）や床（Ｆ）にボルト（Ｂ１）によって固定することができる。床（Ｆ）側が畳の場合には、底面部（２１）を畳の下に差し挟んで、畳の端から壁（Ｗ）に沿って立面部（２２）が出るようにして固定することができる。
【００２０】
上固定部材（３０）と下部固定部材（２０）とに索部材（１０）を固定する場合には、上固定部材（３０）は、上前部（４２）のうち家具（４０）の両側面（４３）寄りにそれぞれ固定し、下固定部材（２０）は、下後部（４１）の家具（４０）の両側面（４３）寄りにそれぞれ配置して固定することが好ましい。この場合には、索部材（１０）は、一方の側面（４３）寄りの下固定部材（２０）から一方の側面（４３）に沿って斜めに上前部（４２）に至り、上前部（４２）を横断し、他方の側面（４３）寄りに固定された上固定部材（３０）に固定される。同様にして、他方の側面（４３）寄りに固定された下固定部材（２０）から他方の側面（４３）に沿って斜めに上前部（４２）に至った索部材（１０）は、上前部（４２）を横断し、一方の側面（４３）寄りに固定された上固定部材（３０）に固定する。これにより、索部材（１０）は上固定部材（３０）間で交差するように配索され、揺れが起こったときに、揺れの大きさに応じた力で家具（４０）を締め付けるようにして保持することができる。
【００２１】
索部材（１０）と家具（４０）の角部との間に保護部材として、例えば、索部材（１０）を通せるように形成されたゴム管など、柔軟性のある素材で作られた管状部材などを介在するように配置することにより、索部材（１０）が家具（４０）の角部に直接に接触しないようにして、索部材（１０）が角部によって損傷したり、逆に索部材（１０）が家具（４０）の角部を擦るなどして傷をつけたりすることが防止できる。
【００２２】
また、例えば、固定部材（２０，３０）に家具（４０）の角部を家具（４０）の側面（４３）側にＬ字状に屈曲して延び、側面（４３）に沿って回動可能な保護アーム（２７）を備えて保持部材（２０）とすることが好ましい。この保護アーム（２７）は、金属などの硬質素材を使用して内部に索部材（１０）を挿通させる挿通路（２７ａ）を形成したものである。この挿通路（２７ａ）に索部材（１０）を通すことにより、索部材（１０）と家具（４０）の角部とが接触しないようにでき、索部材（１０）および家具（４０）の双方を確実に保護することができる。
【００２３】
上記の索部材（１０）を一本とした場合、下固定部材（２０）に換えて索部材（１０）を保持するための保持部材（２０）を下固定部材（２０）と同様に家側に固定するのがよい。この場合には、索部材（１０）は、一端部が固定された上固定部材（３０）から家具（４０）の一方の側面（４３）に沿って斜めに家具（４０）の下後部（４１）に至り、保持部材（２０）に保持されて家具（４０）の背面側を横断して他方の側面（４３）側に至り、この他方の側面（４３）に沿って斜めに上前部（４２）に至り、上固定部材（３０）に他端部が固定される。これにより、索部材（１０）は、家具（４０）を囲むように張設されて、家具（４０）を固定することができる。
【００２４】
上固定部材（３０）は、家具（４０）の上前部（４２）を横断するように固定する１つのものでもよいが、家具（４０）の一方の側面（４３）寄りおよび他方の側面（４３）寄りにそれぞれ別個に固定する２つのものでもよい。また、保持部材（２０）は、家具（４０）の下後部（４１）を横断するように固定する１つのものでもよいが、家具（４０）の一方の側面（４３）寄りおよび他方の側面（４３）寄りにそれぞれ別個に固定する２つのものでもよい。家具（４０）の一方の側面（４３）および他方の側面（４３）寄りにそれぞれ保持部材（２０）を固定すると、索部材（１０）は、一端部が家具（４０）の他方の側面（４３）寄りに固定された上固定部材（３０）に固定され、上前部（４２）を横断して一方の側面（４３）側に至り、他端部が家具（４０）の一方の側面（４３）寄りに固定された上固定部材（３０）に固定され、上前部（４２）を横断して他方の側面（４３）に至るように張設することができる。
【００２５】
なお、索部材（１０）としては、ケーブル状やベルト状などの形状のものであり、素材は、合成繊維、天然繊維、金属、その他、索部材（１０）にしたときに前記の素材のように強度と柔軟性を有するものであればよい。
【発明の効果】
【００２６】
本発明にかかる転倒防止具によれば、家具の下後部寄りの床面ないし壁面に固定された下固定部材と家具の上前部とで固定された索部材が上前部と下固定部材との間を家具の側面に沿って斜めに引き渡されているので、地震等によって家具が揺れたときに、家具を上部から底部に向けて押さえる下向きの力と家具を前面側から背面側に向けて押さえる力とによって家具の転倒を防止できる。さらに、家具に伝わる揺れが大きくなるほど索部材に生じる張力が大きくなるので、索部材は、揺れに応じた力で家具を締め付けるように押さえることができる。
【００２７】
また、家具の上前部に上固定部材を固定してこの上固定部材に索部材を固定する場合には、索部材を確実に固定することができる。
【００２８】
また、索部材を一本使用する場合には、家具の下後部寄りの家側に下固定部材に換えて保持部材を固定しておき、索部材は、一端部が固定された上固定部材から家具の一方の側面に沿って斜めに家具の下後部に至り、保持部材に保持されて家具の背面側を横断して他方の側面側に至り、この他方の側面に沿って斜めに上前部に至り、上固定部材に他端部を固定できるので、両端部は何れも家具の上前部側のみで固定できることになり、家具を囲むように張設して家具を固定することが容易である。
【００２９】
さらに、上固定部材ないし下固定部材または保持部材が家具の角部を前記家具の側面側に屈曲して、その側面に沿って回動可能な保護アームを備えた場合には、保護アームによって索部材が角部に直接に接触しないように保持されるので、索部材が角部によって損傷を受けて劣化することを防止できるとともに索部材を張設する際に索部材を延ばす方向の調節が容易になる。
【００３０】
また、保護アームが内部に索部材を挿通させる挿通路を有するものである場合には、挿通路に索部材を通して索部材を保護することができるので、家具の角部との直接の接触を確実に防ぐことができる。
【００３１】
また、索部材と前記家具の角部との間に少なくとも一部が介在するように配置する保護部材を備えた場合にも、索部材と家具の角部との接触を防止できるので、索部材および家具双方ともに保護することができる。
【発明を実施するための最良の形態】
【００３２】
以下、図面に基づき本発明の好適な一実施の形態を説明する。  
図１から図５は、本発明の一実施の形態を示している。  
図１に示すように、本実施の形態にかかる転倒防止具１は、家具４０の下後部４１側と上前部４２側との間で索部材１０を家具４０の側面４３に沿って斜めに引き渡して張設することにより、家具４０を固定するものである。
【００３３】
転倒防止具１は、家具４０の下後部４１に固定して索部材１０を保持するための保持部材２０と家具４０の上前部４２に固定して索部材１０を固定するための上固定部材３０とから成っている。保持部材２０は、後述するように下固定部材２０としても使用することができる。索部材１０は、スチールワイヤーであり、本実施の形態では１本を使用する場合を説明する。
【００３４】
なお、索部材１０としては、ケーブル状の他にベルト状のものでもよく、素材は、金属繊維、炭素繊維、合成繊維、天然繊維、その他、索部材１０にしたときに前記の素材のように強度と柔軟性を有するものであればよい。
【００３５】
図２および図４に示すように、保持部材２０は、金属板をＬ字型に成形したものであり、底面部２１とこの底面部２１から略直角に屈曲した立面部２２とを有している。したがって、底面部２１と立面部２２とは、それぞれ床Ｆ側と壁Ｗ側とに面接触させることができる。底面部２１には、ボルトＢ１によって床Ｆに固定するためのボルト孔２３が開設されている。また、ボルト孔２３の他に螺子穴２４が開設されている。底面部２１は、ボルト孔２３にボルトＢ１をまた螺子穴２４に螺子を入れて締めることにより床Ｆ側に固定できる。
【００３６】
立面部２２の略中央には、螺子穴２５が開設されている。立面部２２の外側面を壁Ｗに面接触させて螺子穴２５に螺子を通して締めることにより立面部２２側を壁Ｗに固定することができる。
【００３７】
保持部材２０の上縁には筒状に丸められた挿着部２６が形成されており、この挿着部２６にＬ字状に屈曲した管状の保護アーム２７が挿着されている。保護アーム２７は、管部材をＬ字状に略直角に屈曲したものであり、管の内側は、索部材１０を挿通させる挿通路２７ａである。保護アーム２７は、挿着部２６に挿着された状態で家具４０の側面４３に沿って回動することができる。これにより、索部材１０と家具４０の角部とが直接に接触することがないので索部材１０および家具４０は互いに損傷を受けることがなくなる。また、保護アーム２７が家具４０の側面４３に沿って回動できるので、索部材１０を上固定部材３０に固定して張設する際に、調整がしやすくなる。
【００３８】
以上のように構成された保持部材２０は、ボルトＢ１によって床Ｆに締め付けるときにボルトＢ１に通すワシャー２８と底面部２１との間に索部材１０の一端側を挟んで固定してもよく、これにより下固定部材（２０）として使用することもできる。
【００３９】
上固定部材３０は、金属板をＬ字型に成形したものであり、載置面３１とこの載置面３１から略直角に屈曲した係止面３２とを有している。載置面３１から係止面３２に繋がる屈曲部分３６は、アールが付けられているので、後述するように索部材１０ないし家具４０が損傷することを防止できる。上固定部材３０は、家具４０の上前部４２のうち両側の側面４３に近い上面、例えば、前側の角部の付近の上面にそれぞれ固定される。
【００４０】
上固定部材３０の載置面３１には、索部材１０を固定するためのボルトＢ２が装着されている。ボルトＢ２から係止面３２に寄った位置には、上固定部材３０を家具４０に固定するための螺子穴３３が開設されている。この螺子穴３３に不図示の螺子を通して締め付けることにより、家具４０の上面４４に上固定部材３０を固定することができる。
【００４１】
ボルトＢ２を締め付ける際には、載置面３１とワッシャー３４との間に索部材１０を挟んでおく。これにより、上固定部材３０に索部材１０を固定することができる。
【００４２】
載置面３１には、索部材１０を挿通するためのアーチ部３５がボルトＢ２を間に挟むような位置に１つずつ形成されている。このアーチ部３５は、係止面３２側から引かれてきた索部材１０をもう一方の上固定部材３０へ上前部４２を横断するように引き渡すときに通すものである。このアーチ部３５に索部材１０を通しておくことにより、張設途中で索部材１０の位置がずれてしまうことを防ぐことができる。
【００４３】
このように家具４０の下後部４１寄りの家側に保持部材２０を固定し、家具４０の上前部４２に上固定部材３０を固定した場合には、索部材１０は１本だけでよい。この場合、索部材１０は、一端部が固定された上固定部材３０から家具４０の一方の側面４３に沿って斜めに家具４０の下後部４１に至る。下後部４１では、索部材１０は、保護アーム２７を通って保持部材２０に保持され、家具４０の背面側を横断して他方の側面４３側に至る。この他方の側面４３側では、索部材１０は、保護アーム２７を通って保持部材２０に保持されて、他方の側面４３に沿って斜めに上前部４２に至る。上前部４２では、上固定部材３０に他端部が固定される。これにより、家具４０を囲むように引き渡し、張設して家具４０を固定することができる。
【００４４】
索部材１０は、端部を上固定部材３０に固定する際に、斜めに沿って上がってきた側面４３に近い位置に固定されている上固定部材３０に固定してもよいが、上記のようにアーチ部３５に通してから上前部４２を横断させて、反対側の側面４３に近い位置に固定されている上固定部材３０に固定してもよい。
【００４５】
次に作用を説明する。  
図１および図５に示すように、転倒防止具１は、索部材１０を家具４０の下後部４１と上前部４２との間を家具４０の側面４３に沿って斜めに引き渡すようにして、下後部４１と上前部４２との間に張設する。これにより、索部材１０から家具４０を上部から床Ｆに向けて押さえる下向きの力と、家具４０を正面側から背面側の壁Ｗに向けて押さえる横向きの力とが働いて家具４０の転倒を防止できる。
【００４６】
転倒防止具１を家具４０に装着する際には、始めに保持部材２０を家側の床Ｆないし壁Ｗに固定する。保持部材２０の底面部２１にはボルトＢ１で固定するためのボルト孔２３と螺子で固定するための螺子穴２４とが開設されているので、床Ｆの材質などによって何れかまたは双方を使って保持部材２０を床Ｆに固定することができる。床が一般家庭のように木材でできている場合には、螺子穴２４を使って螺子止めすればよい。また、立面部２２は、背後の壁Ｗに面接触させておき、立面部２２の螺子穴２５に螺子を捩じ込んで壁Ｗに固定しておく。
【００４７】
床Ｆが畳であるときは、畳の下で底面部２１を固定し、底面部２１の上に畳を載せ、立面部２２は、壁Ｗ側に固定すればよい。
【００４８】
保持部材２０と保持部材２０の間隔は、略家具４０の幅の広さにする。このとき、家具４０を配置したときに保持部材２０が家具４０の背面側に隠れ、かつ、保持部材２０から延びている保護アーム２７が家具４０の側面４３に触れずに側面４３に沿って回動できる広さにする。保持部材２０の固定が済んだら、索部材１０をそれぞれ保持部材２０の挿着部２６および保護アーム２７の挿通路２７ａに通しておく。
【００４９】
一方、家具４０の上前部４２には、上固定部材３０を固定する。上固定部材３０は家具４０の上面の前方角部付近に配置し、係止面３２が家具４０の側面４３に接触するように固定する。上固定部材３０の固定は、載置面３１の螺子穴３３に螺子を捩じ込んで行う。
【００５０】
次に、保持部材２０および上固定部材３０が固定できたら家具４０の下後部４１が保持部材２０の上に載るように適所に配置する。次に、索部材１０を通してある２つの保護アーム２７をそれぞれ保持部材２０の挿着部２６に挿着する。
【００５１】
この保護アーム２７によって索部材１０と家具４０の角部とが直接に接触することがないので、角部が索部材１０に擦られたりして損傷を受けることを防止できる。また、索部材１０がスチールワイヤーではなく、合成繊維などの場合、索部材１０が家具４０の角部から損傷を受けてしまうことを防止できる。
【００５２】
次に、索部材１０の一端部を家具４０の上前部４２まで引き上げて、一方の上固定部材３０の載置面３１に形成されたアーチ部３５に通して、他方の上固定部材３０まで上前部４２を横断させて、ボルトＢ２に巻き掛けるようにしてからボルトＢ２を締めて固定する。他端部も同様にして他方の上固定部材３０のアーチ部３５に通してから一方の上固定部材３０に固定する。
【００５３】
このように張設した索部材１０は、一端部が固定された一方の上固定部材３０から上前部４２を横断して他方の上固定部材３０のアーチ部３５を通って屈曲部分３６から家具４０の側面４３側に至り、側面４３を斜めに下後部４１に向かって延びている。索部材１０は、屈曲部分３６に掛かるので家具４０の角部に直接に接触することがない。このため、索部材１０に大きい張力が生じても索部材１０ないし家具４０が損傷することが防がれる。下後部４１では、保持部材２０の保護アーム２７を通って家具４０の背面側に至り、この家具４０の背面側を横断して反対側の保持部材２０に至り、この保持部材２０の保護アーム２７を通って側面４３側に出ている。
【００５４】
側面４３側に出た索部材１０は、側面４３に沿って斜めに上前部４２に向かって延び、一方の上固定部材３０の係止面３２から屈曲部分３６を経て上面４４側に出ている。上面４４側に出た索部材１０は、一方の上固定部材３０のアーチ部３５を通り、上前部４２を横断して他方の上固定部材３０に至ってボルトＢ２によって固定されている。
【００５５】
このように配索された索部材１０は、上面４４上の上固定部材３０間で交差している。側面４３に沿って斜めに延びる索部材１０の方向は、下後部４１で索部材１０を保持している保護アーム２７が側面４３に沿って回動可能であるので、容易に調節することができる。
【００５６】
これにより、索部材１０は、家具４０を囲むように引き渡され、張設されて、家具４０を固定することができる。このように固定された家具４０が地震などに因る揺れを受けたときには、揺れによって家具４０が前方に倒れようとすると索部材１０の張力が大きくなる。したがって、家具４０を床Ｆに押し付ける力と家具４０を壁Ｗ側に押し付ける力とが大きくなるので、揺れの大きさに応じた力で家具４０を締め付けるようにして保持することができる。
【００５７】
前記実施の形態においては、２つの上固定部材３０を使用する例を示したが、上固定部材３０は、一つの部材に索部材１０を固定する部分を２つまたはそれ以上を設けたものであってもよい。
【００５８】
また、保持部材２０を上記のように下固定部材（２０）として使用する場合には、家具４０の一側面に１本ずつの索部材１０を使用して、それぞれ一端部を下固定部材（２０）に固定して他端部を上固定部材３０に固定するようにしてもよい。この場合、他端部は、一側面寄りの上前部に固定された上固定部材３０に固定してもよいし、上前部４２を横断させて他の側面寄りの上前部４２に固定された上固定部材３０に固定してもよい。
【００５９】
また、索部材１０と家具４０の角部との間に少なくとも一部が介在するように配置され、索部材１０が家具４０の角部に直接に接触しないように保護する保護部材を備えてもよい。例えば、索部材１０を通せるように形成されたゴム管など、柔軟性のある素材で作られた管状部材などを介在するように配置することにより、索部材１０が家具４０の角部に直接に接触しないようにして、索部材１０が角部によって損傷したり、逆に索部材１０が家具４０の角部を擦るなどして傷をつけたりすることを防止できる。
【００６０】
このような保護部材は、保持部材２０に保護アーム２７を備えない場合や、上固定部材３０の係止面３２が家具４０の側面４３に面接触せずに家具４０の正面側に面接触する形状を有し、索部材１０がこのような上固定部材の載置面から家具４０の角部に接触するように張設される場合に有効である。このような形状に形成された上固定部材にはアーム２７を挿着する上記のような円筒状の挿着部を形成して、上固定部材にも保護アーム２７を挿着できるようにしてもよい。
【図面の簡単な説明】
【００６１】
【図１】本発明の一実施の形態に係る転倒防止具を家具に取り付けた例を示す斜視図である。
【図２】本発明の一実施の形態に係る保持部材を示す斜視図である。
【図３】本発明の一実施の形態に係る上固定部材を示す斜視図である。
【図４】図２の保持部材を床に固定した例を示す斜視図である。
【図５】図３の上固定部材を家具の上前部に固定した例を示す斜視図である。
【符号の説明】
【００６２】
Ｂ１…ボルト
Ｂ２…ボルト
Ｆ…床
Ｗ…壁
１…転倒防止具
１０…索部材
２０…保持部材（下固定部材）
２１…底面部
２２…立面部
２３…ボルト孔
２４…螺子穴
２５…螺子穴
２６…挿着部
２７…保護アーム
２７ａ…挿通路
２８…ワシャー
３０…上固定部材
３１…載置面
３２…係止面
３３…螺子穴
３４…ワッシャー
３５…アーチ部
３６…屈曲部分
４０…家具
４１…下後部
４２…上前部
４３…側面
４４…上面
【図１】
2007020595.tif 000003
【図２】
2007020595.tif 000004
【図３】
2007020595.tif 000005
【図４】
2007020595.tif 000006
【図５】
2007020595.tif 000007